【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
機能性ナノ粒子であって、表面上に式Ｉ
【化１】
2008518067.tif 000001
（式中、
ナノ粒子は、ＳｉＯ２、Ａｌ２Ｏ３、または混合ＳｉＯ２およびＡｌ２Ｏ３ナノ粒子であり、
Ｘは、酸素、硫黄、または
【化２】
2008518067.tif 000002
であり、
Ｒ１は、Ｃ１〜Ｃ２５アルキル、酸素、硫黄、または
【化３】
2008518067.tif 000003
によって中断されたＣ３〜Ｃ２５アルキル；酸素、硫黄、または
【化４】
2008518067.tif 000004
によって中断されたヒドロキシル置換Ｃ２〜Ｃ２４アルキル；Ｃ２〜Ｃ２４アルケニル、Ｃ５〜Ｃ１２シクロアルキル、Ｃ５〜Ｃ１２シクロアルケニル、重合性基、ポリマー、またはラジカル除去剤、ヒドロペルオキシド分解剤、ＵＶ吸収剤、光安定剤、難燃剤、および光開始剤から成る群より選択される添加剤であり；
Ｒ２およびＲ３は、相互に独立して、水素、Ｃ１〜Ｃ２５アルキル、酸素、または硫黄によって中断されたＣ３〜Ｃ２５アルキル；Ｃ２〜Ｃ２４アルケニル、フェニル、Ｃ７〜Ｃ９フェニルアルキル、−ＯＲ５、
【化５】
2008518067.tif 000005
であり、
Ｒ４は、水素、酸素または硫黄によって中断されたＣ１〜Ｃ２５アルキルまたはＣ３〜Ｃ２５アルキルであり；
Ｒ５は、水素、Ｃ１〜Ｃ２５アルキル、酸素または硫黄によって中断されたＣ３〜Ｃ２５アルキル；Ｃ２〜Ｃ２４アルケニル、フェニル、Ｃ７〜Ｃ９フェニルアルキル、
【化６】
2008518067.tif 000006
または該ナノ粒子表面であり、
Ｒ６およびＲ７は、相互に独立して、水素、Ｃ１〜Ｃ２５アルキル、酸素または硫黄によって中断されたＣ３〜Ｃ２５アルキル；Ｃ２〜Ｃ２４アルケニル、フェニル、Ｃ７〜Ｃ９フェニルアルキル、または−ＯＲ５であり、
Ｒ８、Ｒ９、およびＲ１０は、相互に独立して、水素、Ｃ１〜Ｃ２５アルキル、酸素または硫黄によって中断されたＣ３〜Ｃ２５アルキル；Ｃ２〜Ｃ２４アルケニル、フェニルまたはＣ７〜Ｃ９フェニルアルキルであり、そしてｎが、１、２、３、４、５、６、７、または８である）
の共有結合ラジカルを含む機能性ナノ粒子。
【請求項２】
表面上に式ＩＩ
【化７】
2008518067.tif 000007
（式中、
ナノ粒子が、ＳｉＯ２、Ａｌ２Ｏ３、または混合ＳｉＯ２およびＡｌ２Ｏ３ナノ粒子であり、
Ｒ１１は、Ｃ１〜Ｃ２５アルキル、酸素、硫黄、または
【化８】
2008518067.tif 000008
によって中断されたＣ３〜Ｃ２５アルキル；アミノ−、メルカプト−、またはヒドロキシル置換Ｃ２〜Ｃ２４アルキル；酸素、硫黄、または
【化９】
2008518067.tif 000009
によって中断されたアミノ−、メルカプト−、またはヒドロキシル置換Ｃ２〜Ｃ２４アルキル；Ｃ２〜Ｃ２４アルケニル、Ｃ５〜Ｃ１２シクロアルキル、Ｃ５〜Ｃ１２シクロアルケニル、重合性基、またはポリマーであり、
Ｒ１２およびＲ１３は、相互に独立して、水素、Ｃ１〜Ｃ２５アルキル、酸素または硫黄によって中断されたＣ３〜Ｃ２５アルキル；Ｃ２〜Ｃ２４アルケニル、フェニル、Ｃ７〜Ｃ９フェニルアルキル、−ＯＲ１５、
【化１０】
2008518067.tif 000010
であり、
Ｒ１４は、水素、Ｃ１〜Ｃ２５アルキルあるいは酸素または硫黄によって中断されたＣ３〜Ｃ２５アルキルであり；
Ｒ１５は、水素、Ｃ１〜Ｃ２５アルキル、酸素または硫黄によって中断されたＣ３〜Ｃ２５アルキル；Ｃ２〜Ｃ２４アルケニル、フェニル、Ｃ７〜Ｃ９フェニルアルキル、
【化１１】
2008518067.tif 000011
または該ナノ粒子表面であり、
Ｒ１６およびＲ１７は、相互に独立して、水素、Ｃ１〜Ｃ２５アルキル、酸素または硫黄によって中断されたＣ３〜Ｃ２５アルキル；Ｃ２〜Ｃ２４アルケニル、フェニル、Ｃ７〜Ｃ９フェニルアルキル、または−ＯＲ１５であり、
Ｒ１８、Ｒ１９、およびＲ２０は、相互に独立して、水素、Ｃ１〜Ｃ２５アルキル、酸素または硫黄によって中断されたＣ３〜Ｃ２５アルキル；Ｃ２〜Ｃ２４アルケニル、フェニルまたはＣ７〜Ｃ９フェニルアルキルである）
の共有結合ラジカルを更に含む、請求項１記載の機能性ナノ粒子。
【請求項３】
Ｒ１が、フェノール性抗酸化剤、ベンゾフラン−２−オン、立体障害アミン、アミン性抗酸化剤、２−（２’−ヒドロキシフェニル）ベンゾトリアゾール、２−ヒドロキシベンゾフェノン、２−（２−ヒドロキシフェニル）−１，３，５−トリアジン、ホスファイト、ホスホナイト、チオエーテル、ベンゾフェノン、α−活性化アセトフェノン、ビスアシルホスフィンオキシド（ＢＡＰＯ）、モノアシルホスフィンオキシド（ＭＡＰＯ）、アルコキシアミン、チオキサンタン、ベンゾイン、ベンジルケタール、ベンゾインエーテル、α−ヒドロキシ−アルキルフェノン、およびα−アミノアルキルフェノンから成る群より選択される添加剤である、請求項１記載の機能性ナノ粒子。
【請求項４】
Ｒ１が、
【化１２】
2008518067.tif 000012
であり
Ｒ２４は、Ｃ１〜Ｃ２５アルキル、ヒドロキシル置換Ｃ２〜Ｃ２４アルキル；酸素、硫黄、または
【化１３】
2008518067.tif 000013
によって中断されたヒドロキシル置換Ｃ２〜Ｃ２４アルキル；酸素、硫黄、または
【化１４】
2008518067.tif 000014
2008518067.tif 000015
によって中断されたＣ３〜Ｃ２５アルキルであり、
Ｒ２５は、Ｃ１〜Ｃ２５アルキルまたはＣ２〜Ｃ２５アルケニルであり、
Ｒ２６は、水素またはメチルであり、
Ｒ２７は、水素またはメチルであり、
Ｒ２８は、水素または
【化１５】
2008518067.tif 000016
であり、
Ｒ２９は、Ｃ１〜Ｃ４アルキレンであり、
Ｒ３０およびＲ３１は、それぞれ他方から独立して、水素、Ｃ１〜Ｃ１８アルキル、Ｃ７〜Ｃ９フェニルアルキル、フェニル、またはＣ５〜Ｃ８シクロアルキルであり、
Ｒ３２およびＲ３３は、それぞれ他方から独立して、水素、Ｃ１〜Ｃ１８アルキル、Ｃ７〜Ｃ９フェニルアルキル、フェニル、またはＣ５〜Ｃ８シクロアルキルであり、
Ｒ３４およびＲ３５は、それぞれ他方から独立して、水素、ハロゲン、Ｃ１〜Ｃ４アルキル、−ＣＮ、トリフルオロメチル、またはＣ１〜Ｃ４アルコキシであり、
Ｒ３６は、直接結合または−Ｏ−であり、
Ｒ３７は、水素、−Ｏ・、Ｃ１〜Ｃ２５アルキル、Ｃ２〜Ｃ２０アルケニル、Ｃ２〜Ｃ２０アルキニル、Ｃ１〜Ｃ２０アルコキシ、Ｃ５〜Ｃ１２シクロアルコキシ、Ｃ７〜Ｃ２５アラルコキシ、Ｃ６〜Ｃ１２アリールオキシ、Ｃ７〜Ｃ９フェニルアルキル、Ｃ５〜Ｃ１２シクロアルキル、フェニル、ナフチル、ヒドロキシエチル、Ｃ２〜Ｃ２５アルカノイル、ベンゾイル、ナフトイル、またはＣ２〜Ｃ２０アルコキシアルカノイルであり、
Ｒ３８は、水素または有機ラジカルであり、
Ｒ３９およびＲ４０は、それぞれ他方から独立して、水素、Ｃ１〜Ｃ１８アルキル、Ｃ７〜Ｃ９フェニルアルキル、またはフェニルであり、
Ｒ４１は、水素、ハロゲン、またはＣ１〜Ｃ１８アルキルであり、
Ｒ４２は、水素、Ｃ１〜Ｃ１８アルキル、またはＣ７〜Ｃ９フェニルアルキルであり、
Ｒ４３およびＲ４４は、それぞれ他方から独立して、水素、Ｃ１〜Ｃ１８アルキル、Ｃ１〜Ｃ１８アルコキシ、ジ（Ｃ１〜Ｃ４アルキル）アミノ、ヒドロキシル、または
【化１６】
2008518067.tif 000017
であり、
Ｒ４５は、水素、Ｃ１〜Ｃ１８アルキル、Ｃ１〜Ｃ１８アルコキシ、または
【化１７】
2008518067.tif 000018
であり、
Ｒ４６およびＲ４７は、それぞれ他方から独立して、水素、ヒドロキシル、Ｃ１〜Ｃ１８アルキル、フェニル、Ｃ１〜Ｃ１８アルコキシ、またはＣ７〜Ｃ９フェニルアルキルであり、
Ｒ４８は、直接結合または酸素であり、
Ｒ４９およびＲ５０は、それぞれ他方から独立して、Ｃ１〜Ｃ１８アルキル、Ｃ７〜Ｃ９フェニルアルキル、シクロヘキシル、フェニル、または合計１〜１８個の炭素原子を有する１〜３個のアルキルラジカルによって置換されたフェニルであり、
Ｒ５１、Ｒ５２、およびＲ５３は、それぞれ他方から独立して、水素、ハロゲン、Ｃ１〜Ｃ４アルキル、またはＣ１〜Ｃ４アルコキシであり、
Ｒ５４は、Ｃ１〜Ｃ２０アルキル、Ｃ５〜Ｃ８シクロアルキル、Ｃ７〜Ｃ９フェニルアルキル、またはフェニルであり、
Ｒ５５は、Ｃ１〜Ｃ２５アルキルであり、
Ｒ５６は、メチレンまたはエチレンであり、
Ｒ５７は、メチレンまたはエチレンであり、
Ｒ６２は、水素またはＣ１〜Ｃ１８アルキルであり、
Ｒ６３およびＲ６４は、それぞれ他方から独立して、水素、Ｃ１〜Ｃ１８アルキル、Ｃ１〜Ｃ１８アルコキシ、Ｃ１〜Ｃ４アルキルチオ、モルホリニル、フェニルのＣ７〜Ｃ９フェニルアルキルであり、
Ｒ６５およびＲ６６は、それぞれ他方から独立して、Ｃ１〜Ｃ１８アルキルであり、
Ｒ６７は、Ｃ２〜Ｃ４アルキレンであり、
Ｒ６８は、水素またはＣ１〜Ｃ１８アルキルであり、
Ｒ６９は、Ｃ３〜Ｃ７アルキレンであり、
Ｒ７０およびＲ７１は、それぞれ他方から独立して、Ｃ１〜Ｃ８アルキルまたはＣ７〜Ｃ９フェニルアルキルであり、
Ｒ７２およびＲ７３は、それぞれ他方から独立して、Ｃ１〜Ｃ８アルキルであり、またはＲ７２およびＲ７３は共に−ＣＨ２ＣＨ２−Ｏ−ＣＨ２ＣＨ２−であり、それゆえそれらが結合する窒素原子と共にモルホリニル環を形成し、
Ｒ７４は、水素、Ｃ１〜Ｃ１８アルキルまたはＣ７〜Ｃ９フェニルアルキルであり、そして
ｘが、１、２、または３である）
請求項１記載の機能性ナノ粒子。
【請求項５】
ａ）酸化、熱、または光で誘発された分解を受ける有機物質と、
ｂ）少なくとも請求項１記載の機能性ナノ粒子と、
を含む組成物。
【請求項６】
少なくとも請求項１記載の機能性ナノ粒子をその中に包含するステップ、または少なくとも請求項１記載の機能性ナノ粒子をそれに塗布するステップを含む、酸化、熱、または光で誘発された分解を受ける有機物質を安定化、難燃化および／または相溶化するプロセス。
【請求項７】
少なくとも請求項１記載の機能性ナノ粒子をその中に包含するステップ、または少なくとも請求項１記載の機能性ナノ粒子をそれに塗布するステップを含む、その場で重合を光開始する、あるいはプレポリマー性ナノコンポジットまたはゾルをナノコンポジット材料に硬化するプロセス。
【請求項８】
酸化、熱、または光で誘発された分解を受ける有機物質のための安定剤および／または難燃剤および／または相溶剤としての、請求項１記載の機能性ナノ粒子の使用。
【請求項９】
その場で重合するための、またはプレポリマー性ナノコンポジットのナノコンポジット材料への硬化のための光開始剤としての、請求項１記載の機能性ナノ粒子の使用。
【請求項１０】
コーティングの補強剤および表面用コーティング組成物での耐ひっかき性の改良剤としての、請求項１記載の機能性ナノ粒子の使用。